(57)【特許請求の範囲】
【請求項１】
外被の内側に引き裂き紐が埋設された被覆ケーブルの外被除去具であって、
前記被覆ケーブルの側面の一部を収容可能な収容溝が形成された本体部と、
前記被覆ケーブルの前記一部と対極にある他の一部を収容できるように前記収容溝に対向する位置に対向溝が形成され、前記対向溝が回動中心側へ偏在するようにして前記本体部の長手方向の略中央位置に回動可能に取り付けられたハンドル部と、
前記収容溝及び前記対向溝の少なくとも一方に、溝底から刃先までの距離が、前記引き裂き紐の埋設深さと略同じになるように設けられた内設刃と、
を備えたことを特徴とする外被除去具。
【請求項２】
前記内設刃は、前記収容溝及び前記対向溝に設けられていることを特徴とする請求項１に記載の外被除去具。
【請求項３】
前記収容溝に設けられている前記内設刃及び、前記対向溝に設けられている前記内設刃は、互いの刃先同士を近付けるように、かつ、前記収容溝及び前記対向溝の延びる方向に対して同一の向きにそれぞれの刃先を向けるように傾斜配置されていることを特徴とする請求項２に記載の外被除去具。
【発明の詳細な説明】
【技術分野】
【０００１】
本発明は、引き裂き紐が埋設された被覆ケーブルの芯線に傷を付けることなく、容易に引き裂き紐を露出させることができる外被除去具に関するものである。
【背景技術】
【０００２】
外被の内部に引き裂き紐が埋設された被覆ケーブルが知られている。この被覆ケーブルでは、外被の一部を削り取ることにより引き裂き紐の一部を露出させ、露出した引き裂き紐を引っ張り出すことによって外被を縦に引き裂き、除去することができる。このような引き裂き紐を有する被覆ケーブルの断面図を図１０に示す。
【０００３】
この被覆ケーブル５０では、２組の引き裂き紐５２、５３が外被５１内に埋設されている。また、これら引き裂き紐５２、５３の埋設位置が外側からわかるように、外被５１には半径方向に突出し、長手方向へ延びる２本の突条５６が対極位置に形成されている。２組のうち、一方の引き裂き紐５２は、ケーブルコアである光ファイバ５０ａを内部に備えるコア部５７に接する位置に配置されており、他方の引き裂き紐５３は、突条５６の中に配置されている。これにより、突条５６を目印にして外被５１を剥ぎ取ると、引き裂き紐５３に続いて引き裂き紐５２を引き出すことができる。このような被覆ケーブル５０については、特許文献１に記載がある。
【０００４】
一方、上記のように、被覆ケーブルに埋設された引き裂き紐を露出させるための手持ち工具も知られている。
【０００５】
このような手持ち工具の一例としてケーブル外被除去器１００を図１１に示す。ケーブル外被除去器１００には、板状の剥き刃１０１が設けられている。作業者は、把持部１０４を片手で掴んで、図１０に示したような被覆ケーブル５０の外被５１に剥き刃１０１を当て、長手方向へ向かって外被５１上を滑らせることにより、果物の皮を剥くように外被５１を削ることができる。
【０００６】
なお、このケーブル外被除去器１００には、被覆ケーブル５０を引っ掛けて保持するためのケーブル保持部１０３が備えられているので、ケーブル外被除去器１００と被覆ケーブル５０との間隔を略一定に保ち、安定して作業を行うことができる。また、引き裂き紐５３（又は５２）が露出した後は、紐掛け部１０２に引き裂き紐５２、５３の一部を引っ掛けて引き出すことができる。
【０００７】
このような手持ち工具を用いると、カッターやナイフの刃の切っ先を外被５１へ突き立てて切り込む場合とは異なり、コア部５７への損傷を防止することができる。図１１のケーブル外被除去器１００については、特許文献２に記載がある。
【先行技術文献】
【特許文献】
【０００８】
【特許文献１】特開２００９−１９８７０１号公報
【特許文献２】特開２００２−６４９１６号公報
【発明の概要】
【発明が解決しようとする課題】
【０００９】
上述のような被覆ケーブル５０においては、一般に、外被５１がポリエチレンやポリ塩化ビニル等の比較的軟質な樹脂材で形成されているので、図１１に示したケーブル外被除
去器１００のような手動利器で切削加工をすることが可能である。しかし、切り込む深さに応じて樹脂材から刃先に受ける抵抗が大きく変化するので、引き裂き紐の埋設されている一定の深さを正確に捉えるには熟練を要する。
【００１０】
また、切り込み抵抗を低減させて安定して作業を行うために、複数回に小分けして外被５１を削り取る場合、除去された被覆材の厚さを把握するのが難しくなるため、削り過ぎによりケーブルコアを損傷させる恐れがある。
【００１１】
さらに、複数回に分けて切削する場合、外被５１の外側面に設けられている突条５６が除去された後では、引き裂き紐５２、５３の埋設されている正確な位置が分かり難くなる。
【００１２】
そこで、本発明では、熟練を要さず、簡易な操作で容易かつ確実に引き裂き紐を取り出すことができる外被除去具を提供することを目的とする。
【課題を解決するための手段】
【００１３】
上記の目的を達成するために、本発明の外被除去具は、外被の内部に引き裂き紐が埋設された被覆ケーブルの外被除去具であって、被覆ケーブルの側面の一部を収容可能な収容溝が形成された本体部と、被覆ケーブルの一部と対極にある他の一部を収容できるように収容溝に対向する位置に対向溝が形成され、対向溝が回動中心側へ偏在するようにして本体部の長手方向の略中央位置に回動可能に取り付けられたハンドル部と、収容溝及び対向溝の少なくとも一方に、溝底から刃先までの距離が、引き裂き紐の埋設深さと略同じになるように設けられた内設刃と、を備えたことを特徴とする。
【００１４】
また、本発明の外被除去具は、上記構成に加えて、内設刃は、収容溝及び対向溝に設けられていることを特徴とする。
【００１５】
また、本発明の外被除去具は、上記構成に加えて、収容溝に設けられている内設刃及び、対向溝に設けられている内設刃は、互いの刃先同士を近付けるように、かつ、収容溝及び対向溝の延びる方向に対して同一の向きにそれぞれの刃先を向けるように傾斜配置されていることを特徴とする。
【発明の効果】
【００１６】
以上のように、本発明によれば、収容溝及び対向溝の間に被覆ケーブルを挟んだ状態において、回転軸を中心とし、本体部に対してハンドル部を回動させ、被覆ケーブルを挟む力を増大させると、収容溝及び対向溝の少なくとも一方に設けられた内設刃が、被覆ケーブルの外被に切り込まれる。これにより、切り込まれた内設刃の刃先と、この内設刃が設けられている収容溝又は対向溝の溝底との距離は、引き裂き紐の埋設深さと略同じになるように設定されているので、収容溝又は対向溝の溝底に着底した被覆ケーブルに切り込まれている内設刃の刃先は、引き裂き紐の埋設されている深さに到達し、引き裂き紐を引き出すことが可能となる。
【００１７】
また、本発明によれば、内設刃が収容溝及び対向溝に設けられている場合、上記効果に加えて、収容溝及び対向溝の間に被覆ケーブルを挟んだ状態において、回転軸を中心として本体部に対してハンドル部を回動させ、被覆ケーブルを挟む力を増大させると、収容溝に内設された収容溝の内設刃及び、対向溝に内設された対向溝の内設刃とが、対極位置から同時に外被に切り込まれる。これにより、対極位置にある外被がそれぞれ、引き裂き紐の埋設深さにまで切り込まれるので、引き裂き紐が対極位置に埋設された被覆ケーブルに対して、同時に引き裂き紐を露出させることが可能となる。
【００１８】
また、本発明によれば、上記効果に加えて、収容溝及び対向溝の間に挟んだ被覆ケーブルに対して、それぞれの溝内に設けられた内設刃の刃先の向かう方向へ外被除去具を滑ら
せると、２枚の内設刃は互いの刃先同士を近付けるようにハの字型に配置されているので、それぞれの刃先が外被に切り込み易くなる。これにより、外被除去具を被覆ケーブルの長手方向へ滑らせるだけで、対極位置の外被をそれぞれ、引き裂き紐の埋設深さと同じ厚さに剥ぎ取ることができる。
【図面の簡単な説明】
【００１９】
【図１】本発明の実施の形態に係る外被除去具の全体斜視図である。
【図２】閉状態における図１の外被除去具をハンドル部の設置側から見た平面図である。
【図３】閉状態における図１の外被除去具を収容溝の延びる方向から見た側面図である。
【図４】図３のＡ−Ａ線で切断した断面を拡大した拡大断面図である。
【図５】図１の外被除去具の使用状態においてケーブルが切削される様子を示した斜視図である。
【図６】図１の外被除去具の切断動作を示し、（ａ）は切断前の開状態、（ｂ）はケーブルに収容溝内設刃及び対向溝内設刃のそれぞれが当接した状態、（ｃ）は切断後の閉状態を示した図である。
【図７】引き裂き紐の埋設深さを示す被覆ケーブルの断面図である。
【図８】切断時における対向溝内設刃の動きを示した側面図である。
【図９】切断時のケーブル上における対向溝内設刃の動きを示した図である。
【図１０】従来の引き裂き紐を備えた光ファイバケーブルの断面図である。
【図１１】従来のケーブル外被除去器を示す全体図である。
【発明を実施するための形態】
【００２０】
以下、本発明の実施の形態に係る外被除去具について図を用いて説明する。なお、被覆の剥ぎ取り対象となるケーブルについては、適宜、図１０に示した被覆ケーブル５０を参照するものとする。ただし、説明の便宜のため、図１０以外の図面において示した被覆ケーブル５０では、内側の引き裂き紐５２のみが設けられた形態を例として示し、また、コア部５７内の光ファイバ５０ａについては、図示を省略している。
【００２１】
先ず、図１〜４を用いて、本発明の実施の形態に係る外被除去具の構成について説明する。図１は外被除去具１の全体を示した斜視図である。図２は、図１の外被除去具１について、後述するハンドル部４が取り付けられている側から見た平面図である。図３は、外被除去具１について、後述する収容溝２ａの延びる方向から見た側面図である。また、図４は、図３において外被除去具１をＡ−Ａ線で切断し、その断面を拡大して示した拡大断面図である。
【００２２】
図１を参照して、この外被除去具１の本体部２は、略角柱状に形成されている。そして、図２に示すように、本体部２の長手方向の略中央位置には回動軸１０が設けられている。この回動軸１０によって、本体部２にはハンドル部４が回動可能に軸支されている。図１には、ハンドル部４が本体部２から離れ、被覆ケーブル５０を収容可能な程度に開かれた状態が示されている。
【００２３】
次に図３を参照して、回動軸１０の近傍には、本体部２及びハンドル部４ともに溝が形成されている。このうち、本体部２側に形成されている溝は収容溝２ａであり、被覆ケーブル５０の側面の一部（図３では下部）を収容できるように、回転軸１０に対して平行に延びる凹溝で形成されている。一方、ハンドル部４側に形成されている溝は、収容溝２ａに対向する位置に形成された対向溝４ａである。この対向溝４ａも収容溝２ａと同様に被覆ケーブル５０の側面の他の一部（図３では上部）を収容できるように回転軸１０に平行な凹溝で形成されており、ハンドル部４が完全に閉じた状態では、これら対向溝４ａ及び収容溝２ａの側縁同士が接合して、略円筒状のガイド孔が形成される。
【００２４】
続いて、図３のＡ−Ａ線で外被除去具１を切断した断面を示した図４を参照する。本体部２及びハンドル部４には、収容溝２ａ及び対向溝４ａが形成されている側を内側として、これら収容溝２ａ及び対向溝４ａの内側と外側との間を貫通する開口２ｂ、４ｂが形成されている。これら開口２ｂ、４ｂ内には、傾斜面２ｃ、４ｃが形成されており、これら傾斜面２ｃ、４ｃに沿って、被覆ケーブル５０の外被５１を切削するための刃が配置されている。本実施の形態では、収容溝２ａ内に刃先６ａを侵入させるようにして設けられている刃を収容溝内設刃６と呼び、対向溝４ａ内に刃先８ａを侵入させるようにして設けられている刃を対向溝内設刃８と呼ぶ。
【００２５】
本実施の形態では、傾斜面２ｃ、４ｃはそれぞれ、回動軸１０の延びる方向に対して約２０度の傾斜角となるように設定されている。この傾斜角は２０度が基本設定角度であり、１０〜４５度の範囲で設定されるのが望ましい。
【００２６】
このような構成により、被覆ケーブル５０を収容溝２ａ及び対向溝４ａの間に挟むように配置し、ハンドル部４を本体部２側へ押し付けるように力を加えながら、被覆ケーブル５０の長手方向へ向かって外被除去具１を滑らせると、カンナで削ぐように対極位置の外被５１を除去することができる。このとき、収容溝内設刃６及び対向溝内設刃８によって削られた外被５１の一部は、それぞれ、開口２ｂ、４ｂから排出される。この様子を図５に示す。
【００２７】
図５は、図１の外被除去具１の使用状態を示しており、被覆ケーブル５０が切削されるときの様子を示している。なお、この図５では、ハンドル部４が本体部２に対して完全に閉じて、引き裂き紐５２の露出作業が完了した状態が示されている。また、被覆ケーブル５０の断面形状については、構成が認識できる程度に拡大し、別途、二点鎖線で囲んだ部分に表わしている。
【００２８】
この図５から分かるように、本実施の形態に係る外被除去具１によって側面の対極位置の外被５１が剥ぎ取られると、対極位置に埋設された２本の引き裂き紐５２が同時に露出する。そして、このように対極位置の外被５１を切削した後、開口４ｂ及び裏面側の開口２ｂ（図示せず）から突出した外被５１を根元近くで切断すると、被覆ケーブル５０と外被除去具１とを容易に引き離すことができる。
【００２９】
次に、図６を用いて、切断時の動作について説明する。図６は、図１の外被除去具１の切断動作を表わしたものであり、（ａ）は切断前の開状態、（ｂ）は被覆ケーブル５０に収容溝内設刃６及び対向溝内設刃８のそれぞれが当接した状態、（ｃ）は切断後の閉状態（作業完了状態）を示している。
【００３０】
まず、図６（ａ）のように、本体部２の収容溝２ａに側面の一部が収容されるように被覆ケーブル５０が配置される。このとき、引き裂き紐５２が埋設されている方向を示す突条５６の一方が収容溝内設刃６に当接するように配置される。
【００３１】
そして、この状態でハンドル部４を閉じると、図６（ｂ）のように、ハンドル部４の対向溝４ａ内に被覆ケーブル５０の側面の他の一部が収容されると共に、対向溝内設刃８が被覆ケーブル５０の側面に当接した状態となる。そして、ハンドル部４と本体部２の一端側との間を閉じるように力を加えながら、被覆ケーブル５０の軸方向に沿って外被除去具１を滑らせると、収容溝内設刃６と対向溝内設刃８とがそれぞれ外被５１に切り込まれる。収容溝内設刃６と対向溝内設刃８とが外被５１へ十分に切り込まれ、ハンドル部４が本体部２に対して完全に閉じると、図６（ｃ）のような状態になる。
【００３２】
図４に戻って、本実施の形態に係る外被除去具１では、収容溝内設刃６の刃先６ａと収
容溝２ａの溝底２ｄとの隙間Ｄ１は、外被５１の内部に埋設される引き裂き紐５２の埋設深さＤ３（図５を参照）と略同じ距離となるように設定されている。また、対向溝内設刃８の刃先８ａと対向溝４ａの溝底４ｄとの隙間Ｄ２も同様に、引き裂き紐５２の埋設深さＤ４と略同じ距離になるよう設定されている。
【００３３】
ここで、埋設深さＤ３、Ｄ４について図７を用いて説明する。図７は、被覆ケーブル５０の拡大断面を示している。なお、この図７は、被覆ケーブル５０内における引き裂き紐５２の位置を模式的に示したものであり、実際の寸法関係を表したものではない。図７に示すように、上述の埋設深さＤ３、Ｄ４は、埋設されている引き裂き紐５２のうち、被覆ケーブル５０の径方向において最も外径側に位置する部分までの深さをいう。本実施の形態では、被覆ケーブル５０の径方向に引き裂き紐５２と突条５６とが並んでいるので、埋設深さＤ３、Ｄ４は、それぞれ、突条５６の最も突出した外面と、引き裂き紐５２の最も外径側の部分との間の距離となる。
【００３４】
このため、図６（ｃ）のようにハンドル部４が完全に閉じた状態では、収容溝２ａ及び対向溝４ａの内壁と、被覆ケーブル５０の外被５１又は突条５６の突出面とが当接状態となるので、刃先６ａ、８ａが引き裂き紐５２の外径側の位置へ正確に達した状態となっている。すなわち、収容溝内設刃６及び対向溝内設刃８は、引き裂き紐５２の側面が僅かに現れる程度に切り込まれ、引き裂き紐５２の埋設深さを超えて切り込まれることがないので、引き裂き紐５２を確実に露出させることができるとともに、コア部５７への損傷の発生を防止できる。
【００３５】
なお、本実施の形態において、収容溝２ａや対向溝４ａに対する溝底２ｄ、４ｄとは、溝の下方を示すものではなく、溝の最も奥側の位置を指すものとする。したがって、図４においては、溝底２ｄは、収容溝２ａの最も下側の位置であるのに対し、溝底４ｄは、対向溝４ａの最も上側の位置が相当する。
【００３６】
このように、本実施の形態に係る外被除去具１によれば、被覆ケーブル５０を本体部２及びハンドル部４の収容溝２ａ及び対向溝４ａの間に挟み込み、ハンドル部４を本体部２側へ閉じながら被覆ケーブル５０の長手方向へ滑らせるだけで、対極位置に埋設された引き裂き紐５２を同時に露出させることができるので、熟練を要さず、正確な加工を容易に行うことが可能である。また、収容溝内設刃６及び対向溝内設刃８を外被５１に対して１回滑らせるだけで、確実に引き裂き紐５２を露出させることができるので、カッター等を用いた従来の不確実で細かな作業と比較して、作業効率が著しく向上する。
【００３７】
ところで、被覆ケーブル５０の外被５１には、突条５６が形成されているので、引き裂き紐５２の埋設位置が容易に確認できるとはいえ、切削作業の際に、刃先６ａ、８ａの位置に対して適切に被覆ケーブル５０が配置されない場合、引き裂き紐５２の位置は、刃先６ａ、８ａに対してズレを生じる。
【００３８】
しかし、本実施の形態に係る外被除去具１では、対向する収容溝内設刃６及び対向溝内設刃８において、互いの刃先６ａ、８ａ同士が相対的に角度を変化させながら接近するので、被覆ケーブル５０の初期配置に多少のズレが生じた場合であっても、確実に引き裂き紐５２を露出させることが可能である。この機構については、次の図８及び９を用いて詳しく説明する。
【００３９】
図８は、ハンドル部４が回動するときの対向溝内設刃８の動きを示した側面図である。また、図９は、ハンドル部４の回動に伴って外被５１を切削する際の対向溝内設刃８の動きを、被覆ケーブル５０に沿って表わしている。
【００４０】
先ず、図８を参照して、ハンドル部４が開いた状態では、収容溝内設刃６と対向溝内設刃８とは互いの刃先６ａ、８ａをハの字に開いた状態となっている。そして、ハンドル部４を本体部２側へ向かって閉じて行くと、各段階における対向溝内設刃８の刃先８ａの位置の変化を複数の一点鎖線にて模式的に示したように、収容溝内設刃６の刃先６ａに対して徐々に平行になるように変化しながら接近する。そして、最終的に上述の図６（ｃ）に示したようにハンドル部４が完全に閉じた状態では、収容溝内設刃６と対向溝内設刃８とは互いに平行の配置となる。
【００４１】
すなわち、被覆ケーブル５０を収容溝２ａ及び対向溝４ａの間に滑らせながら対向溝内設刃８を外被５１に切り込ませると、捩じれた切削曲面が形成される。図８には、対向溝内設刃８の軌跡を追うことができるように、刃先８ａの特定の位置に黒丸３０で印を付して示している。また、黒丸３０で示した刃先８ａの特定位置の変化を二点鎖線で繋いで示している。図８から分かるように、回動軸１０の延びる方向から見ると、黒丸３０は、回動軸１０を中心とした円弧軌道を描いている。
【００４２】
これに対して、図９では、対向溝内設刃８（図８を参照）が外被５１を切り進む様子が、回動軸１０に垂直な方向から示されている。図９では、下方に回動軸１０、上方に回動端となるように被覆ケーブル５０が配置されているものとする。
【００４３】
従って、ハンドル部４の回動と共に対向溝内設刃８は、一点鎖線で示した中心線よりも僅かに下方側（回動軸側）から被覆ケーブル５０の側面へ接近する。この場合、図８に示したように、対向溝内設刃８は、ハンドル部４と一体となって円弧軌道を描いて被覆ケーブル５０に接近するので、回動軸１０側から先に刃先８ａが当接する。
【００４４】
図９では、図８の黒丸３０で示した刃先８ａの特定位置の軌道を、二点鎖線の矢印で示している。上述のように、ハンドル部４を閉じる方向へ力を加えながら、図９において右側へ被覆ケーブル５０を送るように外被除去具１を滑らせて行くと、最初回動軸１０寄りに当接した対向溝内設刃８の刃先８ａは、ハンドル部４が本体部２へ近付くに連れて収容溝内設刃６の刃先６ａと平行になるように角度を変化させるので、徐々に回動端側へスライドして行く。このようにして、対向溝内設刃８は、図９中に斜線で示した捩じれた切削面５１ａを形成しながら外被５１の一部を切削する。
【００４５】
すなわち、図９に示すように、対向溝内設刃８が周方向へのスライドを伴って外被５１を切り進むので、僅かな振れ幅Ｗが生じる。このように、本実施の形態に係る外被除去具１では、切断前における被覆ケーブル５０の配置が刃先６ａに対して僅かにズレた場合であっても、周方向へ対向溝内設刃８の刃先８ａが回り込むので、引き裂き紐５２の埋設位置を通過する確率が増大し、確実に露出させることが可能となる。
【００４６】
図８に示したような、ハンドル部４の回動に伴って移動する対向溝内設刃８の刃先８ａの角度の変化は、回動軸１０と対向溝４ａとの距離によって異なる。つまり、挟持される被覆ケーブル５０の近傍における対向溝内設刃８の振る舞いにのみ着目すれば、対向溝４ａが回転軸１０の近くに形成されているほど、対向溝内設刃８の角度変化は大きくなる。したがって、周方向への振れ幅Ｗについては、収容溝２ａ及び対向溝４ａの形成される位置と回動軸１０との位置関係を適宜選択することによって調節することができる。
【００４７】
尚、上記の実施の形態では、収容溝２ａと対向溝４ａに、収容溝内設刃６、対向溝内設刃８が設けられた構成を例として示した。しかし、収容溝２ａ及び対向溝４ａの少なくとも一方に内設刃が設けられていれば、少なくとも１本の引き裂き紐を確実に露出させることができる。すなわち、引き裂き紐が２本埋設された被覆ケーブルに対しては、本実施の形態に示した構成が適しており、１本のみ埋設された被覆ケーブルに対しては、何れか一
方の内設刃で十分である。
【００４８】
また、上記の実施の形態では、ハンドル部４が閉じられて、収容溝２ａ及び対向溝４ａ同士が接合した状態において、被覆ケーブル５０の略全周が収容される構成を例として示した。しかし、少なくとも、収容溝又は対向溝の溝底と、内設刃の刃先との距離が、引き裂き紐の埋設深さと略同じになるように配置できる深さであれば、収容溝、対向溝は、被覆ケーブル全周を覆う深さである必要はない。さらに、収容溝、対向溝は、被覆ケーブルの外径に沿った円筒面を形成していなくても良い。
【００４９】
また、上記の実施の形態では、ハンドル部４が回動軸１０によって本体部２の略中央位置に取り付けられた構成を例として示したが、中央位置でなくても構わない。
【００５０】
また、上記の実施の形態では、収容溝内設刃及び対向溝内設刃には、それぞれ平刃が採用され、収容溝及び対向溝の延びる方向に対して、刃先が垂直に配置された構成を例として示した。しかし、これに限らず、平面視において刃先が緩やかに傾いた片刃で構成されていても構わない。さらに、平面視でＶ字型又はＵ字型に刃先が形成された平刃であっても構わない。このように構成すると、突条がＶ字又はＵ字の谷部分に安定するので、より効率良く作業を行うことができる。
【００５１】
上記の実施の形態では、被覆の剥ぎ取り対象として被覆ケーブル５０の構成を例として示したが、具体的には、２４（２４芯）、４０（４０芯）、４０Ｚ（４０芯）、１００Ｚ（１００芯）等の線種のＡＮＳケーブルが主な対象となる。したがって、これらのケーブルの被覆の厚さに合わせて、収容溝と収容溝内設刃との間の距離、或いは、対向溝と対向溝内設刃との間の距離が設定される。
【産業上の利用可能性】
【００５２】
本発明は、外被の中に埋設された引き裂き紐を、ケーブルコアに傷を付けることなく容易かつ確実に露出させることができるので、埋設されている本数に関わらず、引き裂き紐が埋設された光ファイバケーブルや、金属の芯線を有する信号線などに対して有用である。
【符号の説明】
【００５３】
１  外被除去具
２  本体部
２ａ  収容溝
４  ハンドル部
４ａ  対向溝
２ｂ、４ｂ  開口
２ｃ、４ｃ  傾斜面
２ｄ、４ｄ  溝底
６  収容溝内設刃
８  対向溝内設刃
６ａ、８ａ  刃先
１０  回動軸
５０  被覆ケーブル（光ファイバケーブル）
５０ａ  光ファイバ
５１  外被
５２、５３  引き裂き紐
５６  突条
５７  コア部
Ｄ１、Ｄ２  隙間
Ｄ３、Ｄ４  埋設深さ
【図１】
0006317192.tif 000002
【図２】
0006317192.tif 000003
【図３】
0006317192.tif 000004
【図４】
0006317192.tif 000005
【図５】
0006317192.tif 000006
【図６】
0006317192.tif 000007
【図７】
0006317192.tif 000008
【図８】
0006317192.tif 000009
【図９】
0006317192.tif 000010
【図１０】
0006317192.tif 000011
【図１１】
0006317192.tif 000012